(57)【要約】  本発明の課題は、電池モジュールから漏出した電解液を安全に回収できる省スペースの電池システムの提供である。  本発明の電池システムは、複数の電池セル(１)を有する電池モジュール(１００)と、複数の電池モジュール(１００)を収納する筐体(３１)とを備える電池システム(１０１)であって、電池モジュール(１００)は、電池セル(１)を収納する電池セル収納部(１７)と、電池セル収納部(１７)よりも上方に配置され電池セル(１)の情報を検出する検出回路(２１)を収納する回路収納部(１８)とを有し、筐体(３１)は、電池モジュール(１００)が載置され、電池モジュール(１００)がその電解液が漏出した際に電解液を受ける溝部(４３ａ、４３ｂ、４４a、〜、４４e)と当該溝部(４３ａ、４３ｂ、４４a、〜、４４e)内の電解液が流入する液受け孔(４５)とを有するモジュール設置台(４０)と、液受け孔(４５)に接続され電解液を液排出部(４２)に排出する排出管(４１)とを備える。
2013080385.tif 000002
【特許請求の範囲】
【請求項１】
複数の電池セルを有する電池モジュールと、
前記複数の電池モジュールを収納する筐体とを備える電池システムであって、
前記電池モジュールは、前記電池セルを収納する電池セル収納部と、当該電池セル収納部よりも上方に配置され前記電池セルの情報を検出する検出回路を収納する回路収納部とを有し、
前記筐体は、
前記電池モジュールが載置され、前記電池モジュールがその電解液が漏出した際に電解液を受ける溝部と当該溝部内の電解液が流入する液受け孔とを有するモジュール設置台と、
前記液受け孔に接続され前記電解液を液排出部に排出する排出管とを
備えることを特徴とする電池システム。
【請求項２】
前記溝部は、そのうちの少なくとも一部が前記液受け孔に近づくに従い低くなる傾斜を有する
ことを特徴とする請求の範囲第１項に記載の電池システム。
【請求項３】
前記溝部は、前記電池モジュールを冷却する冷却風の方向に沿って設けられる
ことを特徴とする請求の範囲第１項に記載の電池システム。
【請求項４】
前記溝部は、前記電池モジュールの側周面に沿った位置に設けられる
ことを特徴とする請求の範囲第１項から第３項のうちの何れか一項に記載の電池システム。
【請求項５】
前記溝部は、前記モジュール設置台の縁部に設けられる
ことを特徴とする請求の範囲第１項から第３項のうちの何れか一項に記載の電池システム。
【請求項６】
前記液受け孔は、前記モジュール設置台の縁部に設けられる
ことを特徴とする請求の範囲第１項から第３項のうちの何れか一項に記載の電池システム。
【請求項７】
前記液受け孔は、前記電池モジュールを冷却する冷却風の下流側の縁部に設けられる
ことを特徴とする請求の範囲第６項に記載の電池システム。
【請求項８】
前記液受け孔は、前記モジュール設置台における後部に設けられ、
前記電池モジュールの電気的接続部は、前記モジュール設置台における前部に設けられる
ことを特徴とする請求の範囲第１項から第３項のうちの何れか一項に記載の電池システム。
【請求項９】
前記電池モジュールは、当該電池モジュールを統合的に制御する統合制御部の下方に配置される
ことを特徴とする請求の範囲第１項から第３項のうちの何れか一項に記載の電池システム。
【請求項１０】
前記電池モジュールおよび前記筐体は、複数並んで配置され、
一の前記モジュール設置台の前記液受け孔は、縁部に設けられるとともに、他の前記モジュール設置台の前記液受け孔は、一の前記モジュール設置台の前記液受け孔に近い縁部に設けられ、
前記排出管は、前記一のモジュール設置台の液受け孔と、前記他のモジュール設置台の液受け孔とに接続され共用とされる
ことを特徴とする請求の範囲第１項から第３項のうちの何れか一項に記載の電池システム。
【発明の詳細な説明】
【技術分野】
【０００１】
本発明は、複数の電池モジュールを複数の段で収納する電池システムに関する。
【背景技術】
【０００２】
一般に、電池システムは、自然エネルギを利用して発電した電力の蓄電、スマートグリッドの電源、施設のバックアップ電源として利用される。そして、複数の電池システムを組み合わせることによって、メガワット級の電源を構築することも可能である。【０００３】
ところで、システムの電源として用いられる電池システムは、スペースの限られた場所  に設置することを想定する必要があるため、高エネルギ密度化が求められている。さらに、長期間に亘り動作することが要求されるため、電池システム全体としての安全性も求められている。【０００４】
安全性という観点では、仮に電池システムを構成する電池が故障した場合であっても、故障した電池から漏出した電解液をトレーで受けることによって、当該電池システムを具備する箱体へリーク電流が流れるのを防止する電池システムの構造も提案されている（特許文献１）。
【先行技術文献】
【特許文献】
【０００５】
【特許文献１】特開平１１−１６５５５号公報(図１(ｂ)、図２等)
【発明の概要】
【発明が解決しようとする課題】
【０００６】
しかし、特許文献１に記載の電池システムでは、１つの箱体に複数のトレーが備えてあるため、複数のトレー及び各トレーに備わる液溜め部がデッドスペースとなり、高エネルギ密度化の妨げとなる。また、電池モジュールがトレーの側壁に密着している(特許文献１の図２参照)ので、電池モジュール下部から漏出した電解液は十分に回収できるが、電池モジュール上部から漏出した電解液は外側に溢出し十分に回収できないという問題(課題)がある。電池モジュール上部から電解液が漏出した場合に、電解液から配線等を保護するという点についても配慮が十分でない。【０００７】
本発明は上記実状に鑑み、電池モジュールの様々な箇所(部分)から電解液が漏出した場合であっても安全に電解液を回収できる省スペースの電池システムの提供を目的とする。
【課題を解決するための手段】
【０００８】
本発明の請求の範囲第１項に関わる電池システムは、複数の電池セルを有する電池モジュールと、前記複数の電池モジュールを収納する筐体とを備える電池システムであって、前記電池モジュールは、前記電池セルを収納する電池セル収納部と、当該電池セル収納部よりも上方に配置され前記電池セルの情報を検出する検出回路を収納する回路収納部とを有し、前記筐体は、前記電池モジュールが載置され、前記電池モジュールがその電解液が漏出した際に電解液を受ける溝部と当該溝部内の電解液が流入する液受け孔とを有するモジュール設置台と、前記液受け孔に接続され前記電解液を液排出部に排出する排出管とを備えている。
【発明の効果】
【０００９】
本発明によれば、電池モジュールの様々な箇所(部分)から電解液が漏出した場合であっても安全に電解液を回収できる省スペースの電池システムを実現できる。
【図面の簡単な説明】
【００１０】
【図１】（ａ）は本発明に係る第１実施形態の電池モジュールを前方斜め上方から見た斜視図であり、（ｂ）は第１実施形態の電池モジュールを後方斜め上方から見た斜視図である。
【図２】（ａ）は第１実施形態の電池モジュールの右側面図であり、（ｂ）は第１実施形態の電池モジュールの後面図である。
【図３】第１実施形態の電池モジュールの分解斜視図である。
【図４】第１実施形態の電池モジュールの回路図である。
【図５】図２（ａ）のＢ−Ｂ方向の矢視断面図である。
【図６】図２（ｂ）のＣ−Ｃ方向の矢視断面図である。
【図７】図２（ａ）のＡ−Ａ方向の矢視断面図である。
【図８】第１実施形態に係る電池モジュールを搭載した電池システムの斜視図である。
【図９】第１実施形態に係る電池モジュールを搭載した電池システムの分解斜視図である。
【図１０】第１実施形態の電池システムに搭載された状態に並べられた複数の電池モジュールの正面図である。
【図１１】第１実施形態の電池システムに搭載された状態に並べられた複数の電池モジュールを前方斜め上方から目視した斜視図である。
【図１２】第１実施形態の複数の電池モジュールを後方斜め上方から目視した斜視図である。
【図１３】第１実施形態の電池モジュールを搭載したラックの内部構造を示す図である。
【図１４】第１実施形態のモジュール設置台を斜め上方から見た斜視図である。
【図１５】図１４のＤ部を拡大図である。
【図１６】変形例１のモジュール設置台を示す斜視図である。
【図１７】変形例２のモジュール設置台を示す斜視図である。
【図１８】第２実施形態のモジュール設置台を示す斜視図である。
【図１９】第３実施形態の電池システムを示す斜視図である。
【図２０】第４実施形態の電池システムの斜視図である。
【図２１】第４実施形態のモジュール設置台と隣接するモジュール設置台を示す拡大斜視図である。
【図２２】(ａ)は第５実施形態のラックを示す斜視図であり、(ｂ)は第５実施形態のモジュール設置台を示す斜視図である。
【図２３】第５実施形態のラックに５段のモジュール設置台を固着する状態を示す斜視図である。
【図２４】第５実施形態の電池システムを示す斜視図である。
【発明を実施するための形態】
【００１１】
以下、本発明の実施形態について添付図面を参照して説明する。
（第１実施形態）
図１に、本発明に係る第１実施形態の電池モジュール１００の斜視図を示す。図１（ａ）に、電池モジュール１００を、前方斜め上方から見た斜視図を示し、図１（ｂ）に、電池モジュール１００を、後方斜め上方から見た斜視図を示す。
【００１２】
電池モジュール１００は、外周壁を形成する筐体により覆われ、外界からの衝撃等から電池モジュール１００の内部を保護している。
電池モジュール１００の上面部と側壁上部には、筐体の一部が拡幅して形成される筐体上部１０が設けられている。
電池モジュール１００の前面(図１（ａ）の手前側)には、筐体の一部をなす筐体前面部８が、正面視で略Ｔ字様の形状に形成されている。
筐体前面部８の上部には、インジケータ１５と、デバッグ用コネクタ１６と、放熱のための通気用の開口１９ａとが設けられている。
【００１３】
デバッグ用コネクタ１６は外部情報処理装置との電気的結合部である。デバッグ用コネクタ１６は、後記する電圧検出基板７に実装されたマイクロコントローラのソフトウエア（制御プログラムなど）のバージョンアップなどの書き換えや書き込み(更新)が必要な時、マイクロコントローラ或いはメモリに記憶された記憶情報（電池の特性情報、使用履歴情報など）の読み出しが必要な時などに外部情報処理装置が接続される。
【００１４】
外部情報処理装置による書き換え処理、書き込み処理及び読み出し処理は、電池モジュール１００の初期設置(設定)時や、サービスマンによる電池モジュール１００のメンテナンス時に行われる。
インジケータ１５には、電池モジュール１００の状態、例えば、運転中とか、スリープ状態とか、異常発生状態とかの状態が表示される。筐体前面部８の上下には、固定用のネジ挿通孔が貫設された電池モジュール１００の固定用のストッパ２４が設けられている。
【００１５】
図１（ｂ）に示す電池モジュール１００の後面には、筐体の一部をなす筐体後面部９が、後面視で略Ｔ字様の形状に形成されている。
筐体後面部９の上部には、信号が送受信される通信接続用端子１３と、放熱のための通気用の開口１９ｂとが設けられている。筐体後面部９の中央部には、充電・放電の電流が流れる電力接続用端子１２が設けられている。筐体後面部９の下部には、放熱のための通気用の開口１９ｃ、１９ｄが設けられている。開口１９ｄは、後方に向かって開口しており、開口１９ｃは、側方に向かって開口している。
【００１６】
図１（ａ）の電池モジュール１００の前方から見て筐体前面部８の右側には、筐体の一部をなす筐体側面下部６が設けられる一方、左側、すなわち電池モジュール１００の後方から見て筐体後面部９の右側(図１（ｂ）参照)には、筐体の一部をなす筐体側面下部５ｃが設けられている。電池モジュール１００の底面には、筐体の一部をなす筐体底面部５ｅが設けられている。
【００１７】
このように、電池モジュール１００の筐体は、筐体上部１０と、筐体前面部８と、筐体後面部９と、筐体側面下部６、５ｃと、筐体底面部５ｅと有し、防錆処理を施した鋼板等によりプレス加工で製造されている。なお、筐体は強化プラスチックなどで成形してもよく、その材料は限定されない。
【００１８】
図２（ａ）に、第１実施形態の電池モジュール１００の右側面図を示し、図２（ｂ）に、第１実施形態の電池モジュール１００の後面図を示す。
側面視で、筐体後面部９の前後方向寸法は、筐体前面部８の前後方向寸法より大きく形成されている。
前記したように、筐体後面部９は、後面視で略Ｔ様の形状を呈しており、筐体後面部９の上部の幅Ｗ２は、筐体後面部９の中央部および下部の幅Ｗ１より広く形成されている。
【００１９】
図３に、第１実施形態の電池モジュール１００の分解斜視図を示す。
電池モジュール１００は、筐体の一部を形成する金属容器５(図１参照)と、金属容器５の右側の開口を閉塞する金属容器蓋部６(図１参照)とを有している。金属容器蓋部６は、前記した筐体の一部をなす筐体側面下部６を兼用している。
【００２０】
図４に、第１実施形態の電池モジュール１００の回路図を示す。なお、図４はデフォルメしてあり、基板収納室１８が実際より誇張されている。
金属容器５を、金属容器蓋部６で閉塞することにより、金属容器後面壁を成す前後間隔離壁５ｂの孔５ｆを除き、その内部空間（セル群収納室１７）を密閉状態にすることができる。その内部空間（セル群収納室１７）には、複数の電池セル１を有する電池セル群１Ａと、電池セル１の緩衝材である緩衝部材３、４（図３参照）が収納されている。
【００２１】
電池セル群１Ａの周囲は、まず、緩衝部材３、４で覆われ、その外側を、金属容器５と金属容器蓋部６で覆われている。緩衝部材３、４は、電池モジュール１００の外部からの衝撃などを緩衝(減衰、吸収)する役割と、電池セル１の熱膨張を吸収する役割と、熱伝導を向上させる役割を果たしている。
【００２２】
前記したように、金属容器５は、右側側面が開口されており、この右側側面の開口に、金属容器蓋部６が配置される。
金属容器５は、容器上面部をなす上下間隔離壁５ａと、容器後面部をなす前後間隔離壁５ｂと、左側の容器側面部をなす筐体側面下部５ｃと、容器前面部５ｄと、容器底面部をなす筐体底面部（容器底面部）５ｅとを有している。容器後面部の前後間隔離壁５ｂには、複数の電池セル１における電気化学反応により生ずる熱を放熱するための孔５ｆが貫設されている。
【００２３】
図３に示すように、金属容器５の上壁を形成する上下間隔離壁５ａの直上には、電池セル群１Ａを絶縁するための絶縁シート１４が配置されている。上下間隔離壁５ａのさらに上方には、絶縁シート１４を介して、電池セル群１Ａ(電池セル１)の電圧を検出し制御するための検出回路基板７が配置されている。筐体上部１０は、上下間隔離壁５ａに固定され、検出回路基板７の両側方と上方を覆うように構成されている。
【００２４】
検出回路基板７は、上下間隔離壁５ａと、筐体上部１０とで囲まれた内部空間（図４の基板収納室１８）内に配置されることになる。なお、図４は、前記のとおりデフォルメしてあり、基板収納室１８が実際より誇張して図示されている。この内部空間（図４の基板収納室１８）の前方は、筐体前面部８によって閉塞される一方、後方は、筐体後面部９によって閉塞されている。
【００２５】
筐体前面部８は、容器前面部５ｄを前方側で覆っている。筐体後面部９は、前後間隔離壁５ｂを後方側で覆っている。容器後面部の前後間隔離壁５ｂと、筐体後面部９とで囲まれた内部空間（図４の基板収納室１８）内には、保護回路基板１１と、電力接続用端子１２と、通信接続用端子１３が配置される。この内部空間（図４の基板収納室１８）は、容器上面部の上下間隔離壁５ａと、容器後面部の前後間隔離壁５ｂと、筐体前面部８と、筐体後面部９と、筐体上部１０とによって区画される。この内部空間（基板収納室１８（図４参照））には、前記したように、検出回路基板７と、保護回路基板１１と、電力接続用端子１２と、通信接続用端子１３が設けられている。
【００２６】
電池モジュール１００は、複数の電池セル１で成る電池セル群１Ａを備えている。図４では電池セル１が６個の場合を例示している。
図４では、電池セル１は直列接続される場合を例示しているが、これに限らず、並列接続でも、直列接続と並列接続を組み合わせてもよい。複数の電池セル１が接続された電池セル群１Ａの負（−）極は、電力接続用端子１２の一方に接続されている。複数の電池セル１が接続された電池セル群１Ａの正（＋）極は、定格以上の大電流から電池セル群１Ａを保護するための保護回路（ヒューズ）２２の一方の端子に接続されている。保護回路（ヒューズ）２２の他方の端子は、電力接続用端子１２の他方に接続されている。
【００２７】
保護回路（ヒューズ）２２は、定格以上の大電流が流れると発熱して昇温し、所定温度以上に昇温した際に溶断し電流を遮断する。つまり、保護回路（ヒューズ）２２は、通常使用時の定格未満の電流でも、溶断しない温度未満ではあるがジュール熱により昇温している。
【００２８】
保護回路（ヒューズ）２２がこのような温度範囲で昇温すると、従来であれば、複数の電池セル１の内の一部（局所）の電池セル１の充電・放電の特性が低下（変化）し、複数の電池セル１の充電・放電の特性がばらつきやすくなる。
ところが、第１実施形態によれば、後に詳述するが、保護回路（ヒューズ）２２を有する保護回路基板１１を冷却することができるので、保護回路（ヒューズ）２２が発熱しても冷却し、保護回路基板１１の昇温を抑制することができる。
【００２９】
電池セル群１Ａの負（−）極と正（＋）極は、検出回路基板７に設けられているＤＣ／ＤＣコンバータに接続している。ＤＣ／ＤＣコンバータは、検出回路基板７に設けられている電圧検出回路２１に接続されている。電圧検出回路２１は、ＤＣ／ＤＣコンバータを介して、電池セル群１Ａから変圧された所定の電力が供給されている。電圧検出回路２１には、通信接続用端子１３が接続されている。電圧検出回路２１は、通信接続用端子１３を介して、外部装置の外部配線基板２３に接続され、外部配線基板２３と通信し電気信号の送受信を行うことができる。
【００３０】
電池セル群１Ａの各電池セル１の負（−）極と正（＋）極は、電圧検出回路２１に接続されている。電池セル１毎の負（−）極と正（＋）極の間には、各電池セル１の電圧をバランスさせるバランシング抵抗２５と、スイッチ２６とが直列に接続されている。スイッチ２６のオン／オフは、電圧検出回路２１によって行われる。
電圧検出回路２１は、電池セル１毎に電圧を測定する。電圧検出回路２１は、測定結果に基づいて、電池セル群１Ａの複数の電池セル１の電圧のばらつき（偏差）を算出する。電圧検出回路２１は、ばらつき（偏差）が所定値を超えている場合は、電池セル群１Ａの複数の電池セル１の中から、電圧の大きい順に少なくとも１つ抽出する。
【００３１】
電圧検出回路２１は、抽出された電池セル１の負（−）極と正（＋）極の間に接続されたスイッチ２６をオンにし、バランシング抵抗２５に抽出された電池セル１から電流を流し、バランシング抵抗２５で電力を消費させる。電圧検出回路２１は、抽出された電池セル１の電圧が、抽出されていない電池セル１の１つの電圧に等しくなるまで、電流を流す。これにより、電池セル群１Ａの複数の電池セル１の電圧のばらつき（偏差）を小さくでき、充電・放電の特性を向上させることができる。
【００３２】
バランシング抵抗２５で電力を消費させる際には、バランシング抵抗２５が発熱し、温度が上昇する。バランシング抵抗２５の発熱によって、検出回路基板７内が局所的に昇温すると、従来であれば、複数の電池セル１の内の一部（局所）の電池セル１の温度が上昇し、充電・放電の特性が低下（変化）し、複数の電池セル１の充電・放電の特性がばらつきやすくなると考えられたが、第１実施形態によれば、後に詳述するが、検出回路基板７を冷却することができるので、バランシング抵抗２５が発熱しても冷却し、バランシング抵抗２５の昇温、すなわち、検出回路基板７内の局所的な昇温を、抑制することができる。
【００３３】
前記したように、電池モジュール１００は、外郭を形成する筐体前面部８、筐体後面部９、筐体上部１０、筐体底面部５ｅ等で構成される筐体（８、９、１０、５ｅ等）を有している。この筐体（８、９、１０、５ｅ等）は、図４に示すように、電池セル群１Ａと、検出回路基板７と、保護回路基板１１とを、収納している。この筐体（８、９、１０、５ｅ等）内の内部空間は、上下間隔離壁５ａと、前後間隔離壁５ｂと、容器前面部５ｄとによって、その内部のセル群収納室１７と、その外部の基板収納室１８とに分離されている。
【００３４】
電池セル群１Ａと検出回路基板７の間には、上下間隔離壁５ａが配設されているので、電池セル群１Ａと検出回路基板７の相互間の対流や輻射等による伝熱が抑制され、相互の熱の行き来を抑制することができる。
また、電池セル群１Ａと保護回路基板１１の間には、前後間隔離壁５ｂが配設されているので、孔５ｆを除き電池セル群１Ａと保護回路基板１１の相互間の対流や輻射等による伝熱が抑制され、相互の熱の行き来を抑制することができる。セル群収納室１７とその外部の基板収納室１８とは、前後間隔離壁５ｂに開口された孔５ｆを介して、連通している。
【００３５】
セル群収納室１７に、電池セル群１Ａが配置されている。セル群収納室１７の外部に配置される基板収納室１８に、検出回路基板７と保護回路基板１１と電力接続用端子１２が、配置されている。このため、電池セル群１Ａと検出回路基板７の間の配線と、電池セル群１Ａと保護回路基板１１の間の配線と、電池セル群１Ａと電力接続用端子１２の間の配線とは、孔５ｆを挿通して引き回されている。
【００３６】
セル群収納室１７は、金属容器５（図３の金属容器蓋部６を含む５ａ、５ｂ、５ｄ、５ｅ等）によってその外部空間と仕切られている。電池セル群１Ａが、一体構造の金属容器５（金属容器蓋部６を含む５ａ、５ｂ、５ｄ、５ｅ等）内に配置されていることで、強力な外力を受けた場合にも確実に電池セル群１Ａを保護することができる。
また、セル群収納室１７には、電池セル群１Ａで発生した熱を、セル群収納室１７の外に放熱する大きな放熱面積が形成されるセル室放熱部２、３が設けられている。
【００３７】
セル室放熱部２、３は、複数の電池セル１の間に挟まれた伝熱板２と、伝熱板２と筐体（８、９、１０、５ｅ等）の一部（筐体底面部５ｅ）とを熱的に接続する緩衝部材３、４（図３の緩衝部材４参照）とを、有している。電池セル群１Ａで発生した熱は、伝熱板２と緩衝部材３、４とを介し、筐体５ｅ等へ伝熱され、筐体５ｅからセル群収納室１７の外に放熱される。これにより、電池セル群１Ａの発熱による昇温を抑制することができる。
なお、金属容器５（５ａ、５ｂ、５ｄ、５ｅ等（図３の金属容器蓋部６も含む））は、伝熱・放熱性の観点から、アルミニウムやアルミニウム合金や鉄などの金属材料により形成されることが望ましいが、これに限らず、合成樹脂を成型して形成してもよい。
【００３８】
基板収納室１８には、検出回路基板７と保護回路基板１１とが、配置されており、また、検出回路基板７と保護回路基板１１で発生した熱を、基板収納室１８の外に放熱する通風孔の基板室放熱部（１９ａ、１９ｂ、１９ｃ、１９ｄ）が設けられている。
【００３９】
基板室放熱部（１９ａ、１９ｂ、１９ｃ、１９ｄ）は、筐体（８、９、１０、５ｅ等）の一部（筐体前面部８、筐体後面部９）に設けられた開口で形成されている。開口（基板室放熱部）１９ａ、１９ｂ、１９ｃ、１９ｄを介して、基板収納室１８内の空気と外気とを対流させることで、検出回路基板７と保護回路基板１１で発生した熱を、空気を用いて基板収納室１８の外に放熱することができる。
【００４０】
電池セル群１Ａは、電池モジュール１００の下部に配置されている。そのため、電池セル群１Ａを収納するセル群収納室１７は、電池モジュール１００の下部に配置されている。検出回路基板７は、電池モジュール１００の上部に配置され、保護回路基板１１は、電池モジュール１００の後部(図４の右側)に配置されている。これに伴い、基板収納室１８は、電池モジュール１００の上部から後部にかけて鉤状に（アルファベットの大文字Ｌを横にした鏡像状に）配置されている。
【００４１】
つまり、基板収納室１８は、下方側に配置される上下間隔離壁５ａを介してセル群収納室１７の上方に配置され、下方側に立設される前後間隔離壁５ｂを介してセル群収納室１７の側方に配置されている。
このように、電池セル群１Ａに対して、検出回路基板７は上下間隔離壁５ａを介して上方に、保護回路基板１１は前後間隔離壁５ｂを介して後方に配置されている。検出回路基板７は、電池セル群１Ａの上方に配置されているので、電池セル群１Ａで電解液の液漏れが発生しても液は下方に流下するので、検出回路基板７にかかることはない。
【００４２】
図１、図４に示すように、開口（基板室放熱部）１９ａ、１９ｂ、１９ｃ、１９ｄは、筐体前面部８の第１開口１９ａと、筐体後面部９の第２開口１９ｂと、筐体後面部９の第３開口１９ｃ、１９ｄとを有している。
第１開口１９ａは、筐体前面部８の上部に形成され、電池モジュール１００の前方に向かって開口している。第１開口１９ａは、基板収納室１８の前方の上部に設けられている。
【００４３】
第２開口１９ｂは、筐体後面部９の上部に形成され、電池モジュール１００の後方に向かって開口している。第２開口１９ｂは、基板収納室１８の後方の上部に設けられている。
第１開口１９ａと、検出回路基板７と、第２開口１９ｂとは、略同じ高さに配置され、略水平な略一直線上に配置されている。外気（空気）が、第１開口１９ａから流入し、第２開口１９ｂから流出する場合に、第１開口１９ａから第２開口１９ｂへの空気の流れる流路（風路）２７ａ(図４の白抜き矢印で示す)上に、検出回路基板７が配置されている。
【００４４】
外部からの空気が入れ替わりながら、検出回路基板７から熱を奪うことで、検出回路基板７の昇温を抑制することができる。なお、電池モジュール１００の後方に、外部配線基板２３を配置し、外部配線基板２３に設けられたファン２３ａで、風路２７ａ上に空気の流れ（風）を強制的に発生させてもよい。これにより、さらに検出回路基板７の昇温の抑制効果を高めることができる。
【００４５】
第３開口１９ｃ、１９ｄは、筐体後面部９の下部に形成され、基板収納室１８の後方の下部に設けられている。
図１（ｂ）に示すように、第３開口１９ｃは、電池モジュール１００の側方に向かって開口しており、第３開口１９ｄは、電池モジュール１００の後方に向かって開口している。図４に示すように、第３開口１９ｃは、保護回路基板１１より低く配置されている。第３開口１９ｄは、保護回路基板１１と略同じ高さに配置されている。
【００４６】
保護回路基板１１で発熱すると、周囲の空気が暖められて空気の気体分子の運動エネルギが大きくなり膨張し、気体分子の密度が低下し比重が小さくなるので、上昇流が生じる。この上昇流に伴い、上向きの風路２７ｂ(図４の白抜き矢印)が形成される。風路２７ｂの上流側は、第３開口１９ｃから上向きに外気（空気）が流入することで形成される。風路２７ｂの下流側は、第２開口１９ｂから空気が流出することで形成される。
【００４７】
このように、上昇する風路２７ｂが形成され、第３開口１９ｃから外気（空気）が吸い込まれるようになると、第３開口１９ｃから吸い込まれた空気が、第３開口１９ｄから流出する流路２７ｂも形成される。空気が入れ替わりながら、保護回路基板１１から熱を奪うことで、保護回路基板１１の昇温を抑制することができる。
【００４８】
なお、基板収納室１８の上部の前から後ろ向きの風路２７ａに対しては、前上部の第１開口１９ａと後上部の第２開口１９ｂだけでなく、風路２７ａの周囲に配置される筐体上部１０とセル群収納室１７の上部の上下間隔離壁５ａも、前方から後方へ一直線上に風路２７ａを導くガイドとして機能していると考えることができる。
【００４９】
同様に、基板収納室１８の後部の下から上向きの風路２７ｂに対しては、下部の第３開口１９ｃと上部の第２開口１９ｂだけでなく、風路２７ｂの周囲に配置される筐体後面部９とセル群収納室１７の後壁の前後間隔離壁５ｂも、下方から上方へ一直線状に風路２７ｂを導くガイドとして機能していると考えることができる。
【００５０】
また、風路２７ａを前から後へ流れる空気によって、風路２７ｂを下から上へ流れる空気が、前後方向の風路２７ａに引き寄せられる(巻き込まれる)ことで、風路２７ｂを流れる空気の流量を増加させている。
また、第１開口１９ａと第２開口１９ｂと第３開口１９ｃ、１９ｄの開口形状やその大きさと、開口位置は、上部の検出回路基板７と後部の保護回路基板１１で必要と考えられる冷却能力や、外部配線基板２３のファン２３ａから供給される風量や、外気の温度や湿度等に応じて変更すればよい。
【００５１】
なお、図１に示す筐体前面部８、筐体後面部９、筐体上部１０は、合成樹脂を成型して形成することができるが、これに限られず、冷却性を向上させるために空冷に加えて熱伝導・放熱を考慮して、アルミニウムや鉄等の熱伝導性が良好な金属材料で形成してもよい。
【００５２】
電池モジュール１００は、後面を形成する筐体後面部９に、電力接続用端子１２と、通信接続用端子１３を有している。電力接続用端子１２は、外部配線基板２３の電力接続用端子２３ｂと着脱し、電池セル群１Ａを、外部配線基板２３に接続することができる。
通信接続用端子１３は、外部配線基板２３の通信接続用端子２３ｃと着脱し、電圧検出回路２１を、外部配線基板２３に接続することができる。
【００５３】
電力接続用端子１２の着脱方向と、通信接続用端子１３の着脱方向とが、互いに一致し、それらの着脱方向が、電池モジュール１００の前後方向と平行（一致）になっている。
電力接続用端子１２と通信接続用端子１３は、電池モジュール１００の後面をなす筐体後面部９に設けられている。一方、外部配線基板２３の電力接続用端子２３ｂと通信接続用端子２３ｃは、外部配線基板２３の一平面の正面上に設けられている。
【００５４】
本構成により、電池モジュール１００を、前方から後方へスライドさせるだけで、その電力接続用端子１２を、外部配線基板２３の電力接続用端子２３ｂに接続し、その通信接続用端子１３を、外部配線基板２３の通信接続用端子２３ｃに接続することができる。
逆に、電池モジュール１００を、後方から前方へスライドさせるだけで、その電力接続用端子１２と電力接続用端子２３ｂの接続を切断し、その通信接続用端子１３と通信接続用端子２３ｃの接続を切断することができる。
【００５５】
図５に、図２（ａ）のＢ−Ｂ方向の矢視断面図を示す。図２（ａ）の例では、電池セル１として、ラミネート型電池セルを示している。
ラミネート型の各電池セル１は、平板形状であり、隣接する電池セル１との間に伝熱板２が挟み込まれている。電池セル１での電気化学反応で発生した熱は、伝熱板２を伝導して、伝熱板２の端部に達し、その端部から緩衝部材３に伝導し、緩衝部材３から金属容器５に伝導する。
【００５６】
また、電池セル１と緩衝部材４の間にも伝熱板２が挟み込まれている。電池セル１で発生した熱は、伝熱板２を伝導して緩衝部材４に達し、緩衝部材４から金属容器蓋部６に伝導する。
【００５７】
金属容器５と金属容器蓋部６に伝導した熱は、周囲温度より高温なため、外方に向かう放熱路２８が形成され周囲の空気を暖める。電池モジュール１００の前後方向に流れる風路２７ｃを、筐体側面下部５ｃと金属容器蓋部６に対向する電池モジュール１００の側方に形成することで、暖められる空気を入れ替えることができ、冷却効果を向上させることができる。
【００５８】
また、前記したように、図４の基板収納室１８内には、検出回路基板７と筐体上部１０の隙間と、検出回路基板７と上下間隔離壁５ａの隙間とに、風路２７ａが形成される。検出回路基板７の周囲に風路２７ａが形成されることで、効率よく検出回路基板７で発生する熱を冷却することができる。
【００５９】
図６に、図２（ｂ）のＣ−Ｃ方向の矢視断面図を示す。
前部の第１開口１９ａは、筐体前面部８の上部に形成され、基板収納室１８の前方の上部に設けられている。
後部の第２開口１９ｂは、筐体後面部９の上部に形成され、基板収納室１８の後方の上部に設けられている。
【００６０】
前部の第１開口１９ａと、検出回路基板７と、後部の第２開口１９ｂとは、略同じ高さに配置され、略水平な略一直線上に配置されている。外気（空気）が、前部の第１開口１９ａから入って、後部の第２開口１９ｂから出るように、風路２７ａが形成され、その風路２７ａ上に検出回路基板７が配置されている。新たな空気に入れ替わりながら、検出回路基板７から熱を奪うことで、検出回路基板７の昇温を抑制することができる。
【００６１】
また、下部に配置される保護回路基板１１の上方には、上向きの風路２７ｂが形成される。風路２７ｂの上流側は、保護回路基板１１の下方に配置される第３開口１９ｃ（図４参照）から外気（空気）が流入することで形成される。風路２７ｂの下流側は、筐体後面部９の上部の第２開口１９ｂから空気が流出することで形成される。風路２７ｂを進む空気が入れ替わりながら、保護回路基板１１から熱を奪うことで、保護回路基板１１の昇温を抑制することができる。
【００６２】
図７に、図２（ａ）のＡ−Ａ方向の矢視断面図を示す。
電池セル群１Ａは、電池モジュール１００の外方の放熱路２８と風路２７ｃを用いて、放熱する。保護回路基板１１で生じる熱は、筐体後面部９の下部の第３開口１９ｃ（図４、図２(ａ)参照）から流れ込み第３開口１９ｄから流れ出る風路２７ｂ（図２(ｂ)参照）を用いて、放熱する。このように、電池セル群１Ａと、保護回路基板１１は、それぞれ、異なるルートに熱を伝え冷却する冷却手段により、冷却していることが分る。
【００６３】
図８に、第１実施形態に係る電池モジュール１００を搭載した電池システム１０１の斜視図を示す。
電池システム１０１は、多段（図８の例では７段）の棚を有するラック３１を有している。ラック３１の最上段には、統合制御部３２が収められている。統合制御部３２は、電池システム１０１を統合的に制御する。
【００６４】
ラック３１の最上段以外の６段には、電池モジュール１００は収められている。ラック３１の１段毎に、複数（図８の例では４個）の電池モジュール１００が収められている。ラック３１の後面には、外部配線基板２３が設けられている。
なお、統合制御部３２は、ラック３１の最上段以外の箇所に配置してもよいが、電池モジュール１００の電解液の液漏れ等の不具合を勘案し、ラック３１の最上段に配置するのが最も望ましい。
【００６５】
図９に、第１実施形態に係る電池モジュール１００を搭載した電池システム１０１の分解斜視図を示す。
電池モジュール１００は、ラック３１に対して、後方に向け押し込むことによって、外部配線基板２３に電気的に接続するとともに装着することができる。また、電池モジュール１００は、ラック３１に対して、前方に引き出すことによって、外部配線基板２３と電気的に切断するとともに脱離させることができる。
【００６６】
外部配線基板２３には、それぞれの電池モジュール１００に対応するように、ファン２３ａと、電力接続用端子２３ｂと、通信接続用端子２３ｃとが設けられている。
電池モジュール１００をラック３１に装着することで、同時に、電池モジュール１００の電力接続用端子１２（図２（ｂ）参照)と、外部配線基板２３の電力接続用端子２３ｂとを接続し、電池モジュール１００の通信接続用端子１３（図２（ｂ）参照)と、外部配線基板２３の通信接続用端子２３ｃとを接続することができる。
【００６７】
一方、電池モジュール１００をラック３１から脱離させることで、同時に、電池モジュール１００の電力接続用端子１２と、電力接続用端子２３ｂとの接続を切断し、電池モジュール１００の通信接続用端子１３と、通信接続用端子２３ｃとの接続を切断することができる。
【００６８】
それぞれの電池モジュール１００は、外部配線基板２３の通信接続用端子２３ｃと、外部配線基板２３内の配線を介して、統合制御部３２に接続している。この接続により、統合制御部３２は、それぞれの電池モジュール１００に対して、充放電の制御をすることができる。
【００６９】
図１０に、電池システム１０１に搭載された状態に並べられた複数（図１０の例では４個の場合を図示）の電池モジュール１００の正面図を示す。
各電池モジュール１００は、上下のストッパ２４が、それぞれラック３１(図９参照)の上下の棚３１ｔに当接するまでラック３１内に押し込まれ、ストッパ２４に設けられたネジ挿通孔に不図示のネジを挿通させて、ラック３１の棚３１ｔに螺設(ネジ止め)される。
【００７０】
また、電池モジュール１００の後面を示す図２（ｂ）を用いて説明したように、電池モジュール１００は、正面視で、略Ｔ字様の形をしており、電池モジュール１００の上部の幅Ｗ２は、その中央部と下部の幅Ｗ１より大きく形成されている。
そして、幅Ｗ２が広い電池モジュール１００の上部には、基板収納室１８（図５参照）が配置され、幅が狭い電池モジュール１００の中央部と下部には、セル群収納室１７（図５参照）が配置されている。
【００７１】
これにより、図１０に示すように、電池モジュール１００の金属容器蓋部６と、隣接する電池モジュール１００の筐体側面下部５ｃの間には、隙間が生じ、風路２７ｃを形成することができる。同様に、電池モジュール１００の金属容器蓋部６とラック３１の間にも隙間が生じ、風路２７ｃを形成することができる。また、電池モジュール１００の筐体側面下部５ｃとラック３１の間にも隙間が生じ、風路２７ｃを形成することができる。また、第１開口１９ａの正面には、図１０の紙面前後方向の風路２７ａが形成されることになる。
【００７２】
図１１に、電池システム１０１に搭載された状態に並べられた複数の電池モジュール１００を前方斜め上方から目視した斜視図を示し、図１２に、同様の複数の電池モジュール１００を後方斜め上方から目視した斜視図を示す。
図１０、図１１と図１２に示すように、風路２７ａに対して、風路２７ｃは、離隔されており、それぞれ、異なるルートに熱を伝え冷却する冷却手段であることが分る。
【００７３】
図１３に、電池モジュール１００を搭載したラック３１の内部構造を示す。
ラック３１の内部にはモジュール設置台４０が鉛直方向に複数枚(段)設置されており、各モジュール設置台４０の上に複数の電池モジュール１００が水平方向に並んで配置されている。なお、図１３に示す電池モジュール１００は、上のストッパ２４が無く上下寸法が短い形状のものを示している。
なお、以下の構成は図１２以前に図示した電池モジュール１００の形状でも適用可能である。
【００７４】
ここで、電池モジュール１００は、図１２以前に図示したように、上下のストッパ２４がある方が下のストッパ２４のみの場合より、ラック３１への固着部が上下２箇所となり、ラック３１に対して回転運動を抑える安定した構造となるので、より望ましい。
図１４にモジュール設置台４０を斜め上方から見た斜視図を示す。図１５に、図１４のＤ部拡大図を示す。
モジュール設置台４０は、電池モジュール１００が何らかの原因で電解液が漏出した際に、電解液を安全に回収するため、以下の構成を有している。
【００７５】
モジュール設置台４０には、漏出した電解液の液受け用に、平板状の底板４０ｔにラック３１の前後方向と略平行な方向に直線状に設けられた溝部４３a、４３ｂと、ラック３１の前後方向と略垂直な方向(横方向)に直線状に設けられた溝部４４a、４４ｂ、４４ｃ、４４ｄ、４４eとが設けられている。溝部４３a、４３ｂおよび溝部４４a、〜、４４eは、それぞれ横断面凹形状を有している溝である。
そして、右側縁部の前後方向の溝部４３ｂと、後縁部の横方向の溝部４４ｅとが交差する箇所(右後角部)に、溝部４３a、４３ｂ、４４ａ〜４４ｅに流入した電解液を集めて回収する液受け孔４５が鉛直方向に貫設されている。
【００７６】
モジュール設置台４０に設けられた前後方向に延在する溝部４３a、４３ｂは、溝部４４ａから溝部４４ｅの方向に(前から後へ)向かうに従い、つまり液受け孔４５に近づくに従い、溝の深さが深くなる構造としている。また、横方向に延在する溝部４４a、〜、４４eも、左側部の溝部４３aから右側部の溝部４３ｂの方向に向かうに従って、つまり液受け孔４５に近づくに従い、溝の深さが深くなる構造としている。
すなわち、モジュール設置台４０に設けられた前後方向の溝部４３a、４３ｂ、及び横方向の溝部４４a、〜、４４eは、液受け孔４５に電解液を重力の作用で集めるような傾斜をもつ構造としている。
【００７７】
なお、溝部４３a、４３ｂ、４４a、〜、４４eは、説明した構成と異なり略同一の深さとしてもよい。しかしながら、溝部４３a、４３ｂ、４４a、〜、４４eのうちの少なくとも一部を液受け孔４５に近づくに従ってその深さを深くすると電解液の流れが重力の作用で促進されるのでより好ましい。その点では、説明したような全ての溝部４３a、４３ｂ、４４a、〜、４４eを液受け孔４５に近づくに従い、その深さを深くする構造が最も望ましい。
【００７８】
そして、モジュール設置台４０の底板４０ｔの周囲、つまり前後方向の溝部４３a、４３ｂ、及び横方向の溝部４４a、〜、４４eの周囲には、底板４０ｔの上面より高い高さをもつ土手部４０ｄ(４０ｄ１)が立設されている。
モジュール設置台４０は、ステンレス鋼板などの防錆性の金属で形成される。なお、電解液が漏出した場合を想定し、表面を樹脂で覆うなどして、絶縁性をもたせることが好ましい。また、モジュール設置台４０は、金属以外の炭素繊維などの繊維強化熱可塑性プラスチック(Fiber Reinforced Thermo Plastics)などの樹脂で構成してもよく、その材料は特に限定されない。
【００７９】
各モジュール設置台４０に設けられた液受け孔４５には、図１３に示すように、モジュール設置台４０の下面側に取液ドレーン４１ａが接続されている。各モジュール設置台４０の液受け孔４５に接続されるそれぞれの取液ドレーン４１ａは、下方に延在する流下ドレーン４１ｂに接続されている。
【００８０】
すなわち、液漏れした電解液を回収するためのドレーン４１は、液受け孔４５に接続する取液ドレーン４１ａと、取液ドレーン４１ａで回収した電解液を貯留するために下方に流す流下ドレーン４１ｂとで構成される。ドレーン４１は、引き回せる柔軟性がある材料で構成することが好ましい。
ラック３１内の下部には、各モジュール設置台４０上に漏れた電解液を最終的に集めて回収するための回収トレー４２が設置されている。そして、流下ドレーン４１ｂの下端部は、回収トレー４２内に差し入れられている。
【００８１】
当該構造によって、仮に電池モジュール１００から電解液が漏出した場合にも、漏出した電解液は、底板４０ｔに凹設される溝部４３a、４３ｂ、４４ａ〜４４ｅに流入し、溝部４３a、４３ｂ、４４ａ〜４４ｅから液受け孔４５に集液される。
そして、液受け孔４５に集液された電解液は、各モジュール設置台４０に設けられた液受け孔４５と接続された取液ドレーン４１ａを通過し、流下ドレーン４１ｂに流入する。そして、流下ドレーン４１ｂを下方に流れる電解液は、トレー４２に流入して貯留される。
【００８２】
当該構成により、仮に(万が一)電池モジュール１００が熱膨張や外部からの外力による破壊応力以上の応力上昇によって破壊された場合にも、モジュール設置台４０に凹設された溝部４３a、４３ｂ、４４ａ、４４ｂ、４４ｃ、４４ｄ、４４ｅ、及び液受け孔４５によって、電池モジュール１００から漏出した電解液を、他の電池モジュール１００にかけることなく、安全に回収することが可能となる。
【００８３】
そのため、漏出した電解液がモジュール設置台４０から溢出することなく、また、電池モジュール１００よりも下部にある他の電池モジュール１００に電解液をかけることが無くなる。従って、当該電池モジュール１００よりも下部の段にある他の電池モジュール１００に電解液がかかりショートすることを防ぐことができる。例えば、電力接続用端子１２、通信接続用端子１３、検出回路基板７等でのショートを防ぐことができる。
【００８４】
なお、図１４に示す溝部４３a、４３ｂ、４４ａ〜４４ｅの深さは、底板４０ｔの上面から略同じ深さでもよいが、漏出した電解液が重力の作用により液受け孔４５に流入し易いように、溝部４３a、４３ｂ、４４ａ〜４４ｅの少なくとも何れかの深さを液受け孔４５に近づくに従い低くなるように傾斜を設けることが好ましい。
また、図１３では、トレー４２を蓋なしの場合を示しているが、トレー４２の上部を閉塞する蓋がある容器である構成が望ましい。なお、蓋または／および容器が透明である構成にすると、内部を目視して異常を直ぐに確認できるので、より望ましい。
【００８５】
また、電池モジュール１００は、図５に示すように、セル群収納室１７と基板収納室１８とを別々に設け、さらに基板収納室１８の方がセル群収納室１７よりも上部になるように配置している。そのため、例え何らかの原因で電池モジュール１００のセル群収納室１７から電解液が漏出した際にも、上部の基板収納室１８に配置される検出回路基板７に電解液が付着するのを防止できる。従って、検出回路基板７がショートまたは断線するのを防ぐことができる。
【００８６】
そして、図８、図１３に示すように、ラック３１の上部の統合制御部３２よりも下の位置で漏出した電解液を回収することができるため、漏出した電解液がかかって統合制御部３２が破壊されることがない。また、電解液を一箇所に安全に回収することが可能となる。
さらに、電解液をラック３１の下部の一箇所のトレー４２に集めることにより、従来のように複数のトレーや液溜め部を設置する必要がなくなるため、占有容積が狭小化され省スペース化が可能となる。
【００８７】
図１３、図１４に示すように、液受け孔４５及びドレーン４１は、電池モジュール１００の後部(図１(ｂ)参照)の電力接続用端子１２及び通信接続用端子１３を避けるように、ラック３１の後方かつ側部の方に設けられている。当該構成によって、仮に電池モジュール１００から電解液が漏出したとしても、各コネクタ等をショートさせることなく、安全に電解液をトレー４２に回収することが可能となる。
【００８８】
ここで、電池モジュール１００の電力接続用端子１２及び通信接続用端子１３の電気的接続部の位置と液受け孔４５の位置とは任意に選択可能であるが、それぞれをより離隔した位置、例えば異なる方向に配置することがより望ましい。
例えば、第１実施形態と異なり、電力接続用端子１２及び通信接続用端子１３を電池モジュール１００の前部に設ける構成にすると、漏出した電解液が集められる箇所の液受け孔４５が後部であり、電力接続用端子１２及び通信接続用端子１３と電解液が集められる箇所とが離隔した位置になるので、より好ましい。
【００８９】
また、図９に示すように、電池システム１０１は、ラック３１後部に設けられたファン２３aにより、ラック３１の前方からラック３１の後方に向けて、風の流れができる。そのため、本第１実施形態のようにラック３１の後方の側部に液受け孔４５を設けて電解液を回収する電池システムとすることで、ファン２３aの風を受けて電解液が後方にスムーズに流れ、より確実かつ円滑に電解液を液受け孔４５に回収することができる。
【００９０】
また、電源を取り出すなどのコネクタ(電力接続用端子１２、通信接続用端子１３等)の電気的接続部は作業上、前部にあるのが好ましいので、前記したように、電気的接続部は前部に配置し、液受け孔４５および電池モジュール１００の冷却用のファンは後部に配置するのが望ましい。
【００９１】
次に、モジュール設置台４０の溝部の変形例について説明する。
なお、第１実施形態では電解液を回収するための溝部を図１４に示すように構成したが、溝部の設け方は本例に限定されるわけではなく、液受け孔４５に電解液を誘導できるような構成なら、どのような溝の形態を取っても良い。
【００９２】
図１６に、変形例１のモジュール設置台４０Ｈ１の斜視図を示す。
変形例１のモジュール設置台４０Ｈ１は、第１実施形態のモジュール設置台４０の横方向の溝部４４ｂ、４４ｃ、４４ｄ(図１４参照)に替えて、前後方向の溝部４４ｉ、〜、４４ｏとして形成したものである。
【００９３】
この場合、前後方向の溝部４４ｉ、〜、４４ｏを、電池モジュール１００の側部の周囲面(筐体側面下部５ｃ、金属容器蓋部６(図１参照))に沿う位置に設けると(図１６の二点鎖線参照)、漏出した電解液をスムーズに溝部４４ｉ、〜、４４ｏで受けられるのでより好ましい。同様に、溝部は、筐体前面部８や筐体後面部９に沿って設けてもよい。
【００９４】
変形例１の場合も、前記したように、溝部４３ａ、４３ｂ、４４ａ、４４ｅ、４４ｉ、〜、４４ｏのうちの少なくとも一部を液受け孔４５に近づくに従い低くなる傾斜を形成するとよい。なお、溝部４３ａ、４３ｂ、４４ａ、４４ｅ、４４ｉ、〜、４４ｏの深さを略同一の深さとすることも可能である。
【００９５】
図１７に、変形例２のモジュール設置台４０Ｈ２の斜視図を示す。
変形例２のモジュール設置台４０Ｈ２は、第１実施形態のモジュール設置台４０の前後方向の溝部４３a、４３ｂ及び横方向の溝部４４a、〜、４４eに加えて、前後方向に延在する溝部４４ｐ、〜、４４ｖを形成したものである。
【００９６】
変形例２の場合も、溝部４３ａ、４３ｂ、４４ａ、〜、４４ｅ、４４ｐ、〜、４４ｖのうちの少なくとも一部を液受け孔４５に近づくに従い低くなる傾斜を形成するとよい。
なお、溝部４３ａ、４３ｂ、４４ａ、〜、４４ｅ、４４ｐ、〜、４４ｖの深さを略同一の深さとすることも可能である。
【００９７】
その他、モジュール設置台４０の溝部を液受け孔４５から放射状に形成してもよい。この場合も、溝部の深さを略同一としてもよいが、溝部のうちの少なくとも一部を液受け孔４５に近づくに従い低くなる傾斜をもたせるとよい。
【００９８】
上述の構成によれば、電池モジュール１００の様々な箇所(部分)から電解液が漏出した場合であっても安全に電解液を回収できる信頼性が高い省スペースの電池システム１０１を実現できる。
【００９９】
（第２実施形態）
次に、第２実施形態のモジュール設置台４０について説明する。
第２実施形態のモジュール設置台４０は、電池モジュール１００から電解液が漏出した場合、漏出した電池モジュール１００を特定できる構成としたものである。
図１８は、本発明に係わる第２実施形態のモジュール設置台を示したものである。なお、第１実施形態と同様の構成については、第１実施形態で付した番号と同様の番号を付して示し、説明を省略する。
【０１００】
第２実施形態が、第１実施形態と異なる点は、モジュール設置台４０の溝部４３a、４３ｂ、及び溝部４４a、〜、４４eが設けられた底板４０ｔの上面に塗料を塗布した塗料塗布部４６を設けた点にある。
【０１０１】
塗料塗布部４６に塗布する塗料は、有機溶剤である電解液によって溶解する塗料である。塗料としては、電池モジュール１００の電解液によって溶解する塗料であれば限定されない。例えば、リチウムイオン電池の電解液によって溶解する塗料としては、合成樹脂塗料、溶剤系塗料の主成分がフッ素樹脂もしくはアクリル樹脂のものがある。
なお、塗料が電解液によって溶解したことが認識しずらい場合には、塗料に顔料などの着色材を混入してもよい。これにより、漏出した電解液がより明確に認識できる。
【０１０２】
第２実施形態によれば、仮に熱膨張や外部からの応力によって電池モジュール１００が破損し、電解液が漏出したとしても、液もれの箇所を目視して確実に特定できる。そのため、確実かつ安全に電解液を回収することができることに加え、さらに、電解液の漏洩部が分るため、電解液が漏れた部位を確実に発見(特定)することができる。
【０１０３】
（第３実施形態）
次に、第３実施形態の電池システム１０１について説明する。
第３実施形態の電池システム１０１は、液受け孔４５を、電解液を集液し易い位置に配置したものである。
図１９は、本発明に係る第３実施形態の電池システム１０１を示したものである。
第３実施形態の電池システム１０１は、ラック３１の後部に、電気化学反応により発熱する電池モジュール１００を冷却するためのファン５０が設けられている。
【０１０４】
電池システム１０１の稼働時には、ラック４０後部に設けられたファン５０により、ラック３１の前方部から後方部に向けて、冷却風ｗの流れができている。
そこで、ラック３１の後方側３１ｂ、すなわち図１４のモジュール設置台４０の溝部４４ｂｅの何れかの位置に液受け孔４５を設ければ、漏出した電解液が冷却風ｗにより後方にスムーズに流れることができ、より確実に電解液を回収することができる。
【０１０５】
なお、図１４に示すように、モジュール設置台４０の溝部４４ｅの一端部に、液受け孔４５を設ければ、電池モジュール１００の電力接続用端子１２、通信接続用端子１３に離隔し、かつ、作業性し易いのでより望ましい。
【０１０６】
（第４実施形態）
次に、第４実施形態の電池システムについて説明する。
図２０に第４実施形態の電池システム４０１の斜視図を示す。
第４実施形態の電池システム４０１は、電池システム１０１Ａ、１０１Ｂを横方向に並設した構成である。
これ以外の構成は、第１実施形態と同様であるから、同様な構成要素には同一の符号を付して示し、詳細な説明は省略する。
【０１０７】
第４実施形態の電池システム４０１は、第１の電池システム１０１Ａと第２の電池システム１０１Ｂとを横方向に並んで配置している。なお、図２０では、２つの電池システム１０１Ａ、１０１Ｂを横方向に並設(並んで配置)した場合を例示しているが３つ以上横方向に並設してもよい。
【０１０８】
図２１に第４実施形態のモジュール設置台４０Ａと隣接するモジュール設置台４０Ｂの拡大斜視図を示す。なお、図２１では、理解を容易にするため、鉛直方向に複数段あるモジュール設置台４０の一段のみを示している。
電池システム１０１Ａのモジュール設置台４０Ａは、電池モジュール１００から漏出した電解液を集液する液受け孔４５ａを後縁部の横方向に延在する溝部４４ｅにおけるモジュール設置台４０Ｂに近い一方端部に配置している。
【０１０９】
一方、電池システム１０１Ａに隣接して配置される電池システム１０１Ｂのモジュール設置台４０Ｂは、電池モジュール１００から漏出した電解液を集液する液受け孔４５ｂを後縁部の横方向に延在する溝部４４ｅのモジュール設置台４０Ａに近い一方端部に配置している。
【０１１０】
そして、漏出した電解液を排出するドレーン４７は、モジュール設置台４０Ａの液受け孔４５ａの下部に接続する取液ドレーン４７ａと、モジュール設置台４０Ｂの液受け孔４５ｂの下部に接続する取液ドレーン４７ｂと、取液ドレーン４７ａと取液ドレーン４７ｂとが接続される１本の流下ドレーン４７ｃとで構成される。流下ドレーン４７ｃは、前記と同様に、漏出した電解液を回収するために下方に流し、トレー４２に貯留する。
なお、前記したように、ドレーン４７は、引き回せる柔軟性があるように形成できる材料で構成することが好ましい。
【０１１１】
上記構成によれば、隣接する電池システム１０１Ａ、１０１Ｂ同士でドレーン４７を共用できるので、ドレーンの製造コスト、組み付けコストが低減され、コスト低減を図れる。
また、電池システム１０１を床面上の３方に(例えば、東西南の方向)３つ配置した場合にも、電池システム１０１の各液受け孔４５を互いに近くに設け、各モジュール設置台４０の段毎の３本の取液ドレーンと１本の流下ドレーンとを有する１本のドレーンで共用することが可能である。この場合、各電池システム１０１のラック３１にキャスターを設け、移動が容易になるようにしてもよい。
【０１１２】
或いは、電池システム１０１を床面上の４方に(例えば、東西南北の方向)４つ配置した場合にも、電池システム１０１の各液受け孔４５を互いに近くに設け、各モジュール設置台４０の段毎の４本の取液ドレーンと１本の流下ドレーンとを有する１本のドレーンで共用することが可能である。この場合、各電池システム１０１のラック３１にキャスターを設け、移動が容易になるようにしてもよい。
【０１１３】
（第５実施形態）
次に、第５実施形態の電池システム５０１について説明する。
図２２(ａ)に、第５実施形態のラック３１の斜視図を示し、図２２(ｂ)に、第５実施形態のモジュール設置台４０の斜視図を示す。
第５実施形態の電池システム５０１(図２４参照)は、モジュール設置台４０のラック３１への取り付け法の具体例を示すものである。
その他の構成は、第１実施形態と同様であるから、同一の構成要素には同一の符号を付して示し、詳細な説明は省略する。
【０１１４】
第５実施形態の電池システム５０１は、ラック３１の前部の一対の前レール３１ｒ１と後部の一対の後レール３１ｒ２とにはそれぞれ、複数段のモジュール設置台４０をそれぞれネジ止めするための固定用のネジｎ(図２３参照)を挿通させるためのネジ挿通孔ｎ１が、モジュール設置台４０を固着する所定の位置に穿設されている。
一方、図２２(ｂ)に示すモジュール設置台４０には、前部の土手部４０ｄ１および後部の土手部４０ｄ２に固定用のネジｎが螺着する雌ネジｎ２がそれぞれ一対螺刻されている。
【０１１５】
図２３に、第５実施形態のラック３１に５段のモジュール設置台４０を固着する際の斜視図を示す。
図２３に示すように、前側からボルトなどのネジｎを一対それぞれ、前部の一対の前レール３１ｒ１のネジ挿通孔ｎ１に挿通させ、モジュール設置台４０の前部の土手部４０ｄ１の雌ネジｎ２に螺着する。また、後側からボルトなどのネジｎを一対それぞれ、後部の一対の後レール３１ｒ２のネジ挿通孔ｎ１に挿通させ、モジュール設置台４０の後部の土手部４０ｄ２の雌ネジｎ２に螺着する。これにより、各段のモジュール設置台４０を前レール３１ｒ１および後レール３１ｒ２に螺設することができる。
【０１１６】
このようにして、電池モジュール１００を固着した各モジュール設置台４０を前レール３１ｒ１、後レール３１ｒ２に固定し、各モジュール設置台４０の液受け孔４５ｂにドレーン４１の取液ドレーン４１ａを接続するとともに流下ドレーン４１ｂをトレー４２に差し入れることで、図２４に示す電池システム５０１が完成する。
【０１１７】
ここで、電池モジュール１００は、各モジュール設置台４０をラック３１の前・後レール３１ｒ１、３１ｒ２に螺設前に固定してもよいし、前・後レール３１ｒ１、３１ｒ２の幅寸法(横方向の寸法)を小さくして各モジュール設置台４０をラック３１の前・後レール３１ｒ１、３１ｒ２に螺設後に固定してもよい。
【０１１８】
或いは、各モジュール設置台４０を、前・後レール３１ｒ１、３１ｒ２の幅寸法(横方向の寸法)を小さくして、前後方向に替えて、横方向から前・後レール３１ｒ１、３１ｒ２に螺設するように構成し、各モジュール設置台４０をラック３１の前・後レール３１ｒ１、３１ｒ２に螺設前に固定してもよいし、螺設後に固定してもよい。
なお、第５実施形態では、モジュール設置台４０をラック３１に螺設する場合を例示したが、ワンタッチ構造など螺設以外の方法でモジュール設置台４０をラック３１に固着する構成としてもよい。
【０１１９】
＜＜その他の実施形態＞＞
なお、前記実施形態では、液受け孔４５をモジュール設置台４０の角部に設けた場合を例示したが、液受け孔４５を角部以外の場所、例えば、縁部や央部に配置してもよい。しかしながら、液受け孔４５は、前記したように、排液のし易さ、信頼性の観点からモジュール設置台４０の縁部に配置することが望ましい。また、モジュール設置台４０が上面視矩形状の形状を呈するならば、実施形態で説明したように角部に配置するのが最も望ましい。
【０１２０】
また、モジュール設置台４０は、上面視で略矩形状の場合を例示したが、その他の形状を採用しても構わない。
なお、前記実施形態では、ドレーン４１をトレー４２に接続して電解液を排液する場合を例示したが、トレー４２に代替して電池システムの設置場所に固定の排液孔を設けて当該排液孔に廃液する構成としてもよく、ドレーン４１からの排液の方法はその他のやり方を採用してもよい。しかしながら、トレー４２のような目視可能な排液部とした場合、ユーザ(管理者)が電池モジュール１００の異常を迅速に把握でき、メンテナンスが素早く行えるので、最も望ましい。
【０１２１】
また、前記実施形態では、ラック３１に、５段のモジュール設置台４０を固着する構成を例示したが、ラック３１に、単数または２〜４段、６段以上のモジュール設置台４０を固着する構成としてもよいし、ラック３１に固着するモジュール設置台４０の段数は適宜選択可能である。なお、説明したようにラック３１にモジュール設置台４０を複数段配設して、鉛直方向に電池モジュール１００を重畳して配置すると占有床面積当りのエネルギ効率が高まるのでより好ましい。
【０１２２】
なお、前記実施形態では、様々な構成を説明したが、各構成を適宜組み合わせて構成してもよい。これにより、組み合わせた作用効果を奏する。
【符号の説明】
【０１２３】
１      電池セル
１Ａ    電池セル群
２      伝熱板（セル室放熱部）
３、４  緩衝部材（セル室放熱部）
７      検出回路基板(検出回路)
８      筐体前面部
９      筐体後面部
１２    電力接続用端子（電気的接続部）
１３    通信接続用端子（電気的接続部）
１６    デバッグ用コネクタ
１７    セル群収納室(電池セル収納部)
１８    基板収納室(回路収納部)
２１    電圧検出回路(検出回路)
２３    外部配線基板（外部装置）
２３ａ  ファン
３１    ラック(筐体)
３２    統合制御部
４０、４０Ｈ１、４０Ｈ２  モジュール設置台
４０Ａ  モジュール設置台(一のモジュール設置台)
４０Ｂ  モジュール設置台(他のモジュール設置台)
４１    ドレーン(排出管)
４２    トレー(液排出部)
４４ｂ、４４ｃ、４４ｄ、  溝部
４４ｋ、４４ｌ、４４ｍ、４４ｎ、４４ｏ  溝部
４４ｐ、４４ｑ、４４ｒ、４４ｓ、４４ｔ、４４ｕ  溝部
４４ｉ、４４ｊ  溝部(側周面に沿った溝部)
４３ａ  溝部(側周面に沿った溝部、モジュール設置台の縁部に設けた溝部)
４３ｂ  溝部(モジュール設置台の縁部に設けた溝部、モジュール設置台の縁部)
４４a  溝部(モジュール設置台の縁部に設けた溝部)
４４e    溝部(モジュール設置台の縁部に設けた溝部、モジュール設置台の縁部)
４５    液受け孔
４５ａ  液受け孔(一のモジュール設置台の液受け孔)
４５ｂ  液受け孔(他のモジュール設置台の液受け孔)
４６    塗料塗布部
４７    ドレーン(排出管)
５０    ファン
１００  電池モジュール
１０１、４０１、５０１  電池システム
ｗ      冷却風
【図１】
2013080385.tif 000003
【図２】
2013080385.tif 000004
【図３】
2013080385.tif 000005
【図４】
2013080385.tif 000006
【図５】
2013080385.tif 000007
【図６】
2013080385.tif 000008
【図７】
2013080385.tif 000009
【図８】
2013080385.tif 000010
【図９】
2013080385.tif 000011
【図１０】
2013080385.tif 000012
【図１１】
2013080385.tif 000013
【図１２】
2013080385.tif 000014
【図１３】
2013080385.tif 000015
【図１４】
2013080385.tif 000016
【図１５】
2013080385.tif 000017
【図１６】
2013080385.tif 000018
【図１７】
2013080385.tif 000019
【図１８】
2013080385.tif 000020
【図１９】
2013080385.tif 000021
【図２０】
2013080385.tif 000022
【図２１】
2013080385.tif 000023
【図２２】
2013080385.tif 000024
【図２３】
2013080385.tif 000025
【図２４】
2013080385.tif 000026
【国際調査報告】
2013080385.tif 000027
2013080385.tif 000028
2013080385.tif 000029
2013080385.tif 000030